(57)【要約】【課題】収納ボックスと巻取り装置とをセットにすることで、試験用配線コードのように長さの異なる多数のコードを容易に収納することができると共に、その試験終了後には、迅速に巻き取る。【解決手段】電気機器等の試験に用いる異なる長さの配線コードを巻き取るコードドラム１を、並列するように複数個収納する空間を有する筐体４から成るコード収納ボックス２と、コードドラム１を回転自在に挟むように支持する支持枠５に、支持枠５内でコードドラム１を回転させる回転板６を設け、回転板６を回転させる回転ハンドル７から成るコード巻取り具３と、を備えた。【選択図】図１
2007210685.tif 000002
【特許請求の範囲】
【請求項１】
電気機器等の試験に用いる異なる長さの配線コードを巻き付けるコードドラム（１）を、それぞれ並列するように複数個収納する空間を有する筐体（４）から成るコード収納ボックス（２）と、
前記コードドラム（１）を回転自在に挟むように支持する支持枠（５）に、該支持枠（５）内で該コードドラム（１）を回転させる回転板（６）を設け、該回転板（６）を回転させる回転ハンドル（７）から成るコード巻取り具（３）と、を備えた、ことを特徴とする巻取り具を備えた配線コード収納ボックス。
【請求項２】
前記コード巻取り具（３）は、前記コード収納ボックス（２）に着脱自在に取り付けたものである、ことを特徴とする請求項１の巻取り具を備えた配線コード収納ボックス。
【請求項３】
前記コード巻取り具（３）は、前記コードドラム（１）の厚みに対応できるように、前記支持枠（５）内の間隔（ｄ）を変更させ得るように構成したものである、ことを特徴とする請求項１又は２の巻取り具を備えた配線コード収納ボックス。
【請求項４】
前記コード収納ボックス（２）は、透明な板材から成る筐体（４）である、ことを特徴とする請求項１の巻取り具を備えた配線コード収納ボックス。
【請求項５】
前記コード収納ボックス（２）は、コードドラム（１）を複数並列させる方向へ伸縮自在になるように構成した筐体（４）である、ことを特徴とする請求項１又は４の巻取り具を備えた配線コード収納ボックス。
【請求項６】
前記コード収納ボックス（２）の開口縁に、その内部に収納している各コードドラム（１）に巻き付けるコードの種類、長さ等の属性を表示したプレート（１４）を取り付けた、ことを特徴とする請求項１、４又は５の巻取り具を備えた配線コード収納ボックス。
【発明の詳細な説明】
【技術分野】
【０００１】
本発明は、電気機器等の試験に用いる配線コード、ケーブルを収納する技術に係り、特に様々な長さのコード、ケーブルを巻き付けるコードドラムを複数保管すると共に、そのコード、ケーブルの使用後にこれらを容易に巻き取ることができる巻取り具を備えた配線コード収納ボックスに関するものである。
【背景技術】
【０００２】
従来から電気機器等の試験に用いる試験用配線コード、ケーブルは、リード線ボックスに収納して整理している。例えば、制御ケーブルを利用する２〜１５ｍ程度の試験用配線コードは、制御ケーブルドラムから引き出したケーブルを必要な長さにカットして試験用に加工して利用している。このような制御ケーブルドラムは、通常倉庫に丸めて積み上げている状態であるために、その保存が煩雑であった。また、試験に際して、制御ケーブルドラムからケーブルを引き出しづらかった。
【０００３】
ドラムに巻き付けたコード、ケーブル等を容易に取り扱うことができる巻取り装置や収納ケースに関する技術が種々提案されている。例えば、特許文献１の実開平５−４２２６９号「ケーブル巻取り装置」には、支持フレームに回転自在に連結されたドラムと、このドラムに巻取られるケーブルの巻取り領域を区分するように前記ドラムの外周壁に取付けられた鍔と、この鍔に前記ケーブルの中間部を挿入できるよう設けられたケーブル挿入部とを具備したケーブル巻取り装置が提案されている。
【特許文献１】実開平５−４２２６９号号公報
【０００４】
また、特許文献２の特開平１１−２９２６５号「ケーブル収納ケース」には、ケーブル引出し用の取出口が形成された筺体内に、ケーブルを垂直軸心回りに巻回してなるケーブル巻束を収納したケーブル収納ケースであって、取出口を前記筺体の一側に設けると共に、ケーブル巻束と筺体底面との間に、ケーブルの取出口からの引出しに伴いケーブル巻束を載置した状態で回転可能とする略円盤状の台座を介在させたケーブル収納ケースが提案されている。
【特許文献２】特開平１１−２９２６５号公報
【発明の開示】
【発明が解決しようとする課題】
【０００５】
しかし、特許文献１の「ケーブル巻取り装置」は、その巻取り装置が大きいために、ある程度の長さがあるケーブルには適している。しかし、試験用配線コードのように、その長さの異なり、コードの種類が多数あるような場合には、広い設置スペースが必要になるという問題を有していた。
【０００６】
また、特許文献２の「ケーブル収納ケース」は、その収納ケースからケーブルを引き出しやすい。しかし、試験用配線コードのように、その長さの異なるコードの種類が増えた場合には、多数積上げられた状態の配線コードの中から、必要な種類・長さの配線コ−ドを捜しだすことは困難であり、その巻き方も様々であるために取り出し難いという問題を有していた。
【０００７】
本発明は、かかる問題点を解決するために創案されたものである。すなわち、本発明の目的は、収納ボックスと巻取り装置とをセットにすることで、試験用配線コードのように長さの異なる多数のコードであっても容易に収納することができると共に、その試験終了後には、迅速に巻き取ることができる巻取り具を備えた配線コード収納ボックスを提供することにある。
【課題を解決するための手段】
【０００８】
本発明によれば、電気機器等の試験に用いる異なる長さの配線コードを巻き付けるコードドラム（１）を、それぞれ並列するように複数個収納する空間を有する筐体（４）から成るコード収納ボックス（２）と、前記コードドラム（１）を回転自在に挟むように支持する支持枠（５）に、該支持枠（５）内で該コードドラム（１）を回転させる回転板（６）を設け、該回転板（６）を回転させる回転ハンドル（７）から成るコード巻取り具（３）と、を備えた、ことを特徴とする巻取り具を備えた配線コード収納ボックスが提供される。
前記コード巻取り具（３）は、前記コード収納ボックス（２）に着脱自在に取り付けることができる。
前記コード巻取り具（３）は、前記コードドラム（１）の厚みに対応できるように、前記支持枠（５）内の間隔（ｄ）を変更させ得るように構成したものが好ましい。
【０００９】
前記コード収納ボックス（２）は、透明な板材から成る筐体（４）にすることが好ましい。
前記コード収納ボックス（２）は、前記コードドラム（１）を複数並列させる方向へ伸縮自在になるように構成した筐体（４）にすることが好ましい。
前記コード収納ボックス（２）の開口縁（）に、その内部に収納している各コードドラム（１）に巻き付けるコードの種類、長さ等の属性を表示したプレート（１４）を取り付けることが好ましい。
【発明の効果】
【００１０】
本発明では、試験用配線コードのように長さの異なる多数のコードを配線コード収納ボックス（２）に容易に収納することができるので、使用目的に合った配線コードを素早く取り出すことができ、分割使用することも可能である。この配線コード収納ボックス（２）にはコード巻取り具（３）を備えているので、その試験終了後には、コード巻取り具（３）を用いて配線コードを迅速に巻き取ることができる。更に、配線コード収納ボックス（２）とコード巻取り具（３）とが一体化しているので、その持ち運びが容易である。
【００１１】
支持枠（５）内の間隔（ｄ）を変更させ得るように構成したコード巻取り具（３）では、コードドラム（１）の厚みに応じてセットし、配線コードを巻き取ることができるので、巻取り装置としての汎用性が高い。
【００１２】
透明な板材の筐体（４）から成るコード収納ボックス（２）では、そこに収納している複数のコードドラム（１）を外部から容易に視認することができるので、試験に使用する配線コードの種類や長さを迅速に選ぶことができ、容易に取り出すことができる。
複数のコードドラム（１）を並列させる方向へ伸縮自在になるように構成した筐体（４）から成るコード収納ボックス（２）では、試験作業に応じてコード収納ボックス（２）に収納するコードドラム（１）の数を増減しても、その内部に隙間ができず、その運搬時にコードドラム（１）が並列方向へガタつくことがはない。
コード収納ボックス（２）の内部に収納している各コードドラム（１）に巻き付けるコードの種類、長さ等の属性を表示したプレート（１４）を開口縁に取り付けることにより、試験に使用する配線コードの種類や長さを迅速に選ぶことができ、容易に取り出すことができる。
【発明を実施するための最良の形態】
【００１３】
本発明の巻取り具を備えた配線コード収納ボックスは、電気機器の試験に用いる異なる長さの配線コードを巻き付けるコードドラムを保管する収納ボックスと、この配線コードを巻き取るコード巻取り具とを備えたものである。
【実施例１】
【００１４】
以下、本発明の好ましい実施の形態を図面を参照して説明する。
図１は実施例１の巻取り具を備えた配線コード収納ボックスの正断面図である。図２は実施例１の巻取り具を備えた配線コード収納ボックスの側断面図である。図３は実施例１の巻取り具を備えた配線コード収納ボックスの平面図である。
本発明の実施例１の巻取り具を備えた配線コード収納ボックスは、電気機器の試験に用いるために、異なる長さの配線コードを巻き取るコードドラム１を保管する配線コード収納ボックス２と、この配線コードを巻き取るためのコード巻取り具３とを備えたものである。
【００１５】
コード収納ボックス２は、配線コードを巻き付けるコードドラム１を、並列するように複数個収納する空間を有する筐体４から成る。このコード収納ボックス２は、例えば８個のコードドラム１を同時に収納できるように、このコードドラム１を並列させる方向へ横長の空間を有する筐体４である。コード収納ボックス２の内部は、収納中のコードドラム１が内部でガタつかないように、コードドラム１の外径よりやや広い空間を形成したものである（図２参照）。
このように、試験用配線コードのように長さの異なる多数のコードを配線コード収納ボックス２に容易に収納することができるので、使用目的に合った配線コードを素早く取り出すことができ、分割使用することも可能である。
【００１６】
図４は配線コード収納ボックスを縮めた状態を示す正断面図である。
本発明のコード収納ボックス２は、複数のコードドラム１を並列させる方向へ伸縮自在に構成したものである。例えば、コード収納ボックス２は、４側壁面の１壁面を開放した筐体４について、大きさが若干異なる２種類を向かい合わせに組み合わせ、その一方の筐体４を摺動させることで収納容量を変化させるようになっている。このように構成することで、試験作業の内容に応じてコード収納ボックス２に収納するコードドラム１の数を増減しても、その内部に隙間ができず、運搬時にコードドラム１が並列方向へガタつかない。例えば、図１又は図３の状態から、図４に示すようにコード収納ボックス２を縮めることで、コードドラム１の収納個数を８個から６個に減少させ、軽量化することができ、これを容易に運搬することができる。なお、このコードドラム１の収納個数は、図示例の６個から８個に限定されないことは勿論である。
【００１７】
図５は実施例１のコード巻取り具にコードドラムをセットする状態を示す正断面図であり、（ａ）は支持枠内にコードドラムを入れる状態、（ｂ）はコードドラムに回転軸を嵌合した状態である。
コード巻取り具３は、コードドラム１を回転自在に挟むように支持する支持枠５に、この支持枠５内でコードドラム１を回転させる回転板６を設けたものである。この回転板６は、回転ハンドル７で回転させるようになっている。このコード巻取り具３に、コードドラム１をセットするときは、図５（ａ）に示すように、回転軸８を抜き、支持枠５の上方からコードドラム１を落し込む。次に、図５（ｂ）に示すように、回転板６側から、回転板６の挿通孔９から回転軸８を差し込み、続いてコードドラム１の透孔１０に差し込み、回転軸８の先端が支持枠５内の軸受１１に接するまで差し込んでセットが完了する。なお、図示例では、コード巻取り具３の上方に開口を設け、ここからコードドラム１を落し込むようになっているが、この形状に限定されることなく、コード巻取り具３の側方からコードドラム１を差し込むようにセットすることも可能である。あるいは、支持枠５を組み立て式に構成し、その一部を取り外してコードドラム１を側面からセットすることも可能である。
【００１８】
本発明では、回転軸８の横断面が円形ではなく多角形状を有し、一方、回転板６の挿通孔９とコードドラム１の透孔１０は何れもその横断面が多角形状を有している。そこで回転軸８の回転力を、コードドラム１の透孔１０に伝達するようになっている。回転ハンドル７で回転板６を回転させると、そのコードドラム１が回転する。このコードドラム１に設けた端末止１２にコードを掛け止めれば容易にコードを巻き取ることができる。なお、この回転軸８の形状は、横断面が多角形状になるものについて説明したが、回転力を伝達することができるものであればこのような図示例に限定されない。
【００１９】
図６は巻取り具をコード収納ボックスから分離して状態を示す正断面図である。
コード巻取り具３は、上述したコード収納ボックス２に着脱自在に取り付けることができる。そこで、運搬時にはコード巻取り具３をコード収納ボックス２に一体化した状態で容易に取り扱え、試験作業時にはコード巻取り具３をコード収納ボックス２から分離して、コード巻取り具（３）のみを取り扱えるようになっている。
【実施例２】
【００２０】
図７は実施例２の支持枠内の間隔を変更させ得るように構成したコード巻取り具を示す正断面図であり、（ａ）は通常の間隔の支持枠の状態、（ｂ）は支持枠の間隔を狭めた状態、（ｃ）は支持枠の間隔を広げた状態である。
実施例２のコード巻取り具３では、コードドラム１の厚みに応じて、支持枠５内の間隔ｄを変更させ得るように構成したものである。例えば、回転板６側の支持枠５の一部にレール１３を取り付け、このレール１３上をこの支持枠５の一部を移動させ、支持枠５内の間隔ｄを変更させ得るように構成した。このようなコード巻取り具３では、コードドラム１の厚みに応じてセットし、コードを巻き取ることができるので巻取り装置としての汎用性が高くなる。例えば、図７（ａ）に示すように、所定間隔ｄの支持枠５内の状態から、図７（ｂ）に示すように、薄いコードドラム１を使用するときは支持枠５の間隔ｄを狭めた状態にして、このコードドラム１をセットする。逆に図７（ｃ）に示すように、厚いコードドラム１を使用するときは支持枠５の間隔ｄを広げた状態にしてこのコードドラム１をセットすることができる。
【実施例３】
【００２１】
図８は実施例３の巻取り具を備えたコード配線コード収納ボックスの正面図である。
実施例３のコード収納ボックス２は、筐体４の側壁を透明なプラスチック板材で構成したものである。このような透明な板材の筐体４から成るコード収納ボックス２では、そこに収納している複数のコードドラム１を外部から容易に視認することができるので、試験に使用する配線コードの種類や長さを迅速に選ぶことができ、かつ容易に取り出すことができる。
【００２２】
また、実施例３のコード収納ボックス２では、その開口縁に、その内部に収納している各コードドラム１に巻き付けるコードの種類、長さ等の属性を表示したプレート１４を取り付ける。コード収納ボックス２の内部に収納している各コードドラム１に巻き付けるコードの種類、長さ等の属性を表示したプレート１４を開口縁に取り付けることにより、試験に使用する配線コードの種類や長さを迅速に選ぶことができ、容易に取り出すことができる。
【００２３】
なお、本発明は上述した発明の実施の形態に限定されず、コード収納ボックス２とコード巻取り具３とをセットにすることで、試験用配線コードのように長さの異なる多数のコードを容易に収納することができると共に、その試験終了後には、迅速に巻き取ることができる構成であれば、図示したような構成に限定されず、本発明の要旨を逸脱しない範囲で種々変更できることは勿論である。
【産業上の利用可能性】
【００２４】
本発明の巻取り具を備えた配線コード収納ボックスは、電気機器の試験における試験用配コード、ケーブルの収納に利用できるだけでなく、その他のコードやケーブル等を用いる作業であれば様々な作業に利用することができる。
【図面の簡単な説明】
【００２５】
【図１】実施例１の巻取り具を備えた配線コード収納ボックスの正断面図である。
【図２】実施例１の巻取り具を備えた配線コード収納ボックスの側断面図である。
【図３】実施例１の巻取り具を備えた配線コード収納ボックスの平面図である。
【図４】配線コード収納ボックスを縮めた状態を示す正断面図である。
【図５】実施例１のコード巻取り具にコードドラムをセットする状態を示す正断面図であり、（ａ）は支持枠内にコードドラムを入れる状態、（ｂ）はコードドラムに回転軸を嵌合した状態である。
【図６】巻取り具をコード収納ボックスから分離して状態を示す正断面図である。
【図７】実施例２の支持枠内の間隔を変更させ得るように構成した巻取り具を示す正断面図であり、（ａ）は通常の間隔の支持枠の状態、（ｂ）は支持枠の間隔を狭めた状態、（ｃ）は支持枠の間隔を広げた状態である。
【図８】実施例３の巻取り具を備えた配線コード収納ボックスの正面図である。
【符号の説明】
【００２６】
１  コードドラム
２  コード収納ボックス
３  コード巻取り具
４  筐体
５  支持枠
６  回転板
７  回転ハンドル
１４  プレート
ｄ  支持枠内の間隔
【図１】
2007210685.tif 000003
【図２】
2007210685.tif 000004
【図３】
2007210685.tif 000005
【図４】
2007210685.tif 000006
【図５】
2007210685.tif 000007
【図６】
2007210685.tif 000008
【図７】
2007210685.tif 000009
【図８】
2007210685.tif 000010